(57)【要約】【課題】陳列ケース用天板固定具を用いた天板の固定作業が、蛍光灯のカバーが支障になることなく、しかも、その作業が簡単に作業性良く行えるようにした陳列ケース天板固定具を提供する。【解決手段】陳列ケースＫ上端の天枠２の内周面に周設された水平溝１７に取着して該天枠２内に天板１２を固定する陳列ケース用天板固定具２０であって、上板２１ａと下板２１ｂとにより成形され前記天板１２の端縁部を受け入れる保持部２２と、前記水平溝１７内に挿入され前記陳列ケース用天板固定具２０の持ち上がりを阻止する阻止部２３と、を備えてなる構成とした。【選択図】図４
0003128432.tif 000002
【実用新案登録請求の範囲】
【請求項１】
陳列ケース上端の天枠の内周面に周設された水平溝に取着して該天枠内に天板を固定する陳列ケース用天板固定具であって、
上板と下板とにより成形され前記天板の端縁部を受け入れる保持部と、前記水平溝内に挿入され前記陳列ケース用天板固定具の持ち上がりを阻止する阻止部と、を備えてなることを特徴とする陳列ケース用天板固定具。
【請求項２】
陳列ケース上端の天枠の内周面に周設された水平溝に取着して該天枠内に天板を固定する陳列ケース用天板固定具であって、
上板と下板とにより成形され前記天板の端縁部を受け入れる断面略コ字形の保持部と、前記保持部とは逆向きに設けられると共に前記水平溝内に挿入され前記陳列ケース用天板固定具の持ち上がりを阻止する阻止部と、を備えてなることを特徴とする陳列ケース用天板固定具。
【考案の詳細な説明】
【技術分野】
【０００１】
本考案は、陳列ケースにおける天板の持ち上がりを防止する陳列ケース用天板固定具に関するものである。
【背景技術】
【０００２】
従来、この種の陳列ケースであって、例えば一般に平ケースと称されるものは、天枠と下枠との間の周囲をガラス板により囲い、天板を天枠内に上から落とし込み式に被せる構成になっていた。これでは、天板が単に載置されているにすぎないため、例えば、吸盤等を用いて故意に天板を持ち上げて陳列ケース内に収容された商品を盗み出すといった不正が頻発していたので、これを防止するため前記天枠の内側に水平溝を設け、該水平溝に天板の側端を直接嵌挿させる構成が採られていた。
【０００３】
しかし、このような構成では天枠の上端面と天板の上端面との間に必然的に段差ができてしまうため、例えば店員が顧客に対して商品説明を行ったり、商品を受け渡すために天板上に置いた商品を動かす際、商品が天枠に引っ掛ってしまうといった不都合が指摘されていた。
【０００４】
そこで、本出願人は、上板と中板間で天板の端縁部を受け入れる保持部を設けると共に、中板と下板間で天枠の内周面に突出させた天板受を受け入れ螺子止めする固着部を設けて陳列ケース用天板固定具を考案した。そして、保持部に天板の端縁部を受け入れた後に、固着部に天板受を受け入れると共にその下側から螺子を螺締して天板を天板受に固着し、これにより故意に天板を持ち上げて陳列ケース内に収容された商品を盗み出すといった不正を防止し、しかも、陳列ケースの天板と天枠との間に段差が生じる不都合を解消するようにした（例えば、特許文献１参照。）。
【特許文献１】実用新案登録第３０６９４９４号公報（第７−９頁、図３）
【考案の開示】
【考案が解決しようとする課題】
【０００５】
前記特許文献１の陳列ケース用天板固定具にあっては、保持部に天板の端縁部を受け入れた後に、固着部に天板受を受け入れると共にその下側から螺子を螺締して天板を天板受に固着するようにしている。このように、天板受の四箇所に設けた各陳列ケース用天板固定具につきそれぞれ螺子を締める作業を必要とすることから、天板の固定作業が面倒であって作業性が良くない。しかも、一側の天枠の下面にその下面に沿って陳列ケース内の商品を明るく照らす蛍光灯が取着されている場合は、その蛍光灯のカバーが邪魔になって取り付けずらく、これら改良すべき点が残されていた。
【０００６】
本法案は、かかる改良すべき点に鑑みてなされたものであり、陳列ケース用天板固定具を用いた天板の固定作業が、蛍光灯のカバーも支障になることがなく、しかも、その作業が簡単に行なえ作業性が良い陳列ケース用天板固定具を提供することを目的とするものである。
【課題を解決するための手段】
【０００７】
上記目的を達成するために本考案に係る陳列ケース用天板固定具は、陳列ケース上端の天枠の内周面に周設された水平溝に取着して該天枠内に天板を固定する陳列ケース用天板固定具であって、上板と下板とにより成形され前記天板の端縁部を受け入れる保持部と、前記水平溝内に挿入され前記陳列ケース用天板固定具の持ち上がりを阻止する阻止部と、を備えてなることを特徴とする。
【０００８】
また、本考案に係る陳列ケース用天板固定具は、陳列ケース上端の天枠の内周面に周設された水平溝に取着して該天枠内に天板を固定する陳列ケース用天板固定具であって、上板と下板とにより成形され前記天板の端縁部を受け入れる断面略コ字形の保持部と、前記保持部とは逆向きに設けられると共に前記水平溝内に挿入され前記陳列ケース用天板固定具の持ち上がりを阻止する阻止部と、を備えてなることを特徴とする。
【考案の効果】
【０００９】
本考案に係る陳列ケース用天板固定具は、上板と下板とにより成形され天板の端縁部を受け入れる保持部と、天枠の水平溝内に挿入され陳列ケース用天板固定具の持ち上がりを阻止する阻止部と、を備えてなり、阻止部を天枠の水平溝内に挿入すると共に保持部に天板の端縁部を受け入れるようにして天板が固定できるので、天板の固定作業に螺子止め作業が一切不要になり、作業性が向上する。また、一側の天枠の下面に蛍光灯が取着される場合も、そのカバーが邪魔にならずに天板が固定できるという有益な効果がある。
【考案を実施するための最良の形態】
【００１０】
以下に、本考案に係る陳列ケース用天板固定具（以下、単に「天板固定具」という。）の実施の形態を図面と共に説明する。本考案に係る天板固定具は、高さが低く一般に平ケースと称される陳列ケースや高さが高く一般にハイケースと称される陳列ケースなど種々の陳列ケースに適用できるが、本考案ではその一例として平ケースに適用される場合について説明する。
図１は本考案が適用される一般に平ケースと称される陳列ケースであり、この陳列ケースＫは長方形をなす下枠１と天枠２との四隅角間に柱フレーム３をそれぞれ立設して直方体形状に枠組みされ、下枠１の下面四隅部にキャスター４が配設されている。
【００１１】
各柱フレーム３の所定高さ位置に上下二段の棚受５，６が取り付けられ、上部の棚受５に透明な棚板ガラス７が載置され、下部の棚受６には不透明な棚板８が支持されている。また、下枠１には図示されない底板が張設され、更に、棚受６と下枠１の間の三方周側面に腰板９が嵌め込まれ、残りの一方側面に引き戸（図示せず。）を設けてストッカーを形成している。
【００１２】
また、天枠２と棚受６の間の三方周側面にそれぞれ透明なガラス製の側板１０が嵌め込まれ、残りの一方側面に透明なガラス製の引き戸１１，１１が嵌め込まれる。更に、天枠２には後述する天板受１８を介して天板１２が載置される。なお、陳列ケースＫの下方に設けられたストッカーの引き戸及び上方のガラス製の引き戸１１，１１にはそれぞれ錠（図示せず。）が設けられており、それら引き戸が施錠できるようになっている。
【００１３】
前記天枠２は、短手方向と長手方向に配設された短杆２ａ，２ａと長杆２ｂ，２ｂ及びこれらを端部で連結するコーナー部材１３とからなり、各コーナー部材１３の下面にそれぞれ柱フレーム３が接続される。これら短杆２ａ、長杆２ｂ、柱フレーム３及びコーナー部材１３はいずれも金属製であって中空状に成形される。
【００１４】
更に詳しく説明すると、図５に示すようにコーナー部材１３は短杆２ａをその長手方向に沿って延長した形状であって直方体形状をしており、互いに隣接しかつ直交する面にそれぞれ連結杆１４がそれら面に対し直角に突設されている。各連結杆１４の外側面の所定位置には、図４に示すようにネジ孔１５が開設される。そして、各連結杆１４を短杆２ａ、長杆２ｂ、柱フレーム３の端部開口に差し込み、短杆２ａ、長杆２ｂ、柱フレーム３の内側に開設されたネジ挿通孔１６を介して各ネジ孔１５にネジ２５を螺締めすることにより、短杆２ａ，長杆２ｂ，柱フレーム３がコーナー部材１３を中心として連結されるようになっている。
【００１５】
前記天枠２には、図３（イ）に示すようにその内側壁の上部寄りにコーナー部材１３も含めて水平溝１７が周設され、この水平溝１７に天板受１８が嵌合されている。該天板受１８は、上下一対の水平片部１８ａ，１８ａと垂直片部１８ｂとによって略断面コ字形状に形成すると共に該垂直片部１８ｃから反対側へ同じ水平な突条１８ｃを突設させて形成される。また、垂直片部１８ｂの上下両端角に沿って段条部１９，１９が設けられている。
【００１６】
そして、該各段条部１９，１９を水平溝１７の開口の上下端にそれぞれ対接させると共に、両水平片部１８ａ，１８ａを水平溝１７内部の上下の内面にそれぞれ当接させることにより、天板受１８をがたつきのない状態に固定できるようにしている。各短杆２ａ、長杆２ｂに対応してそれぞれ天板受１８の長さが選ばれるが、図３（イ）（ロ）に示すように天枠２の短杆２ａ側の内側面であってコーナー部材１３の位置に天板固定具２０が配置されることから、各短杆２ａに沿って設けられる天板受１８は、その長さが両端に位置する天板固定具２０の長さ分控えて設定される。
【００１７】
図２には、前記水平溝１７に取着して天板１２の持ち上がりを阻止する天板固定具２０が示される。該天板固定具２０は、金属板を打ち抜くと共にプレス加工により成形される。すなわち、上板２１ａと下板２１ｂとにより成形され天板１２の端縁部を受け入れる断面略コ字形の保持部２２と、上板２１ａと下板２１ｂとが一体に設けられる側板２１ｃから該保持部２２とは逆向きに設けられると共に水平溝１７内に挿入され天板固定具２０の持ち上がりを阻止する平板状の阻止部２３と、を備えている。阻止部２３は、側板２１ｃの両側端から折り曲げられて成形され、その高さ寸法が水平溝１７の溝幅よりも少し短く設定される。阻止部２３を水平溝１７内に挿入した状態では、天板固定具２０がほとんど浮き上がらないようになっている。天板固定具２０は金属板から成形する以外に、例えば合成樹脂材、セラミック、木材等の他の成形可能な部材によって成形しても良い。
【００１８】
なお、前記天板受１８の突条部１８ｃの上端面から天枠２の上端面までの高さ寸法は、天板１２の厚さ寸法と略同様に設定されている。従って、天板固定具２０を水平溝１７に挿入して取着しても、天枠２の上端面と天板１２の上端面との間に段差がほとんどできず、天板１２上に置かれた商品等を移動しても、該商品等が天枠２に引っ掛ってしまうような不都合が解消できる。
【００１９】
次に、上記のように構成された天板固定具２０を使って、天板１２を固定する方法について説明する。まず、図３（イ）（ロ）及び図５に示すように、天枠２の長手方向の一端側に位置する短杆２ａをその両端に嵌合されるコーナー部材１３と共に外した状態で、これと対向する他端側の短杆２ａの両端に嵌合されるコーナー部材１３，１３の水平溝１７，１７内に、両側の阻止部２３，２３を挿入してそれぞれ天板固定具２０を取着する。この際、保持部２２の受け入れ側が前記一端側に位置する短杆２ａ側を向き、上板２１ａが天枠２の上面とほぼ面一となるように配置され、下板２１ｂが天板受１２より下側に配置される。
【００２０】
また、図５に示すように、天枠２に対して天板１２を少し傾斜させて配置すると共にその一方の端縁部の両側を各天板固定具２０の保持部２２内に挿入する。これにより、各保持部２２内に天板１２の端縁部が受け入れられる。そして、図６に示すように天板１２の他方の端縁部を下げ、天板受１８全体で天板１２を支持する。更に、この状態で天板１２の他方の端縁部の両側に保持部２２を嵌めて、両阻止部２３，２３を前記一端側に位置する短杆２ａ側へ向ける。
【００２１】
この状態で、両長杆２ｂ，２ｂの端面開口に両コーナー部材１３，１３の連結杆１４，１４を挿入すると共に、各天板固定具２０の両阻止部２３，２３を前記他端側の短杆２ａの両端部に設けられたコーナー部材１３の水平溝１７内に挿入する。そして、図４に示すように前記連結杆１４の側面に設けられたネジ孔１５に、長杆２ｂのネジ挿通孔１６を介してネジ２４を螺合する。これにより、両長杆２ｂ，２ｂとコーナー部材１３とが一体に連結され、更に柱フレーム３を連結して図７に示すように陳列ケースＫが完成する。
【００２２】
このように本考案に係る天板固定具２０は、上板２１ａと下板２１ｂとにより成形され天板１２の端縁部を受け入れる保持部２２と、天枠２の水平溝１７内に挿入され天板固定具２０の持ち上がりを阻止する阻止部２３と、を備えてなり、阻止部２３を天枠２の水平溝１７内に挿入すると共に保持部２２に天板１２の端縁部を受け入れるようにして天板１２が固定できる。
【００２３】
よって、天枠２の上面と天板１２の上面とがほとんど面一となり、天板１２上面の商品が天枠２に引っ掛ってしまうといった不都合は解消される。しかも、仮に吸盤等を用いて故意に天板１２を持ち上げて陳列ケースＫ内に収容された商品を盗み出そうとしても、水平溝１７の開口の上縁に阻止部２３の上縁が当接して天板固定具２０の浮き上がり、すなわち天板１２の持ち上がりが阻止される。
【００２４】
また、本考案に係る天板固定具２０は、天板１２を固定するに螺子止め作業が不要になるので、天板１２の固定作業における作業性が向上する。更に、一側の天枠２の下面に蛍光灯が取着される場合も、そのカバーが邪魔にならずに天板１２が固定できることになる。各天板固定具２０は、蛍光灯が装着されようがされまが、常に天枠２の四方隅角の内側面の所定の位置に配置できるので、全体的にバランス良く配置されてデザイン上も優れ、これにより商品価値を上げることができる。
【図面の簡単な説明】
【００２５】
【図１】本考案が適用される陳列ケースの全体斜視図。
【図２】本考案に係る天板固定具の斜視図。
【図３】（イ）は天板固定具の取付状態を示す天枠の一部断面斜視図、（ロ）は同平面図。
【図４】陳列ケースの要部の断面図。
【図５】天板を固定する手順を示す天枠の斜視図。
【図６】天板を固定する手順を示す天枠の斜視図。
【図７】天板を固定した陳列ケースの上部の斜視図。
【符号の説明】
【００２６】
２                    天枠
１２                  天板
１７                  水平溝
２０                  平板固定具
２１ａ                上板
２１ｂ                下板
２２                  保持部
２３                  阻止部
Ｋ                    陳列ケース
【図１】
0003128432.tif 000003
【図２】
0003128432.tif 000004
【図３】
0003128432.tif 000005
【図４】
0003128432.tif 000006
【図５】
0003128432.tif 000007
【図６】
0003128432.tif 000008
【図７】
0003128432.tif 000009